(57)【要約】【課題】本発明は、プラズマ表示装置及びその駆動装置に関する。【解決手段】本発明によれば、第１電圧を供給する第１電源と第２電圧を供給する第２電源とを使用してキャパシターに電圧を充電することにより、電力を回収すると同時に、Vs電圧まで上昇する維持放電パルスを印加することができる。また、電圧貯蔵部で、スイッチ（SW3）の一端電圧を一定に維持するためのキャパシター（C2）を追加することによってスイッチ（SW2）の電力損失を減らし、電力回収効率を向上させることができる。【選択図】図７
2006330669.tif 000002
【特許請求の範囲】
【請求項１】
複数の第１電極；
第１電圧を供給する第１電源に第１端が電気的に連結された第１スイッチ；
前記第１スイッチの第２端にカソードが連結された第１ダイオード；
前記第１電源に第１端が電気的に連結された第２スイッチ；
前記第２スイッチの第２端にアノードが連結された第２ダイオード；
前記第１ダイオードのアノード及び前記第２ダイオードのカソードに第１端が電気的に連結され、前記第１電極に第２端が電気的に連結された少なくとも一つのインダクター；
前記第２スイッチの第２端に第１端が連結された第１キャパシター；
前記第１キャパシターの第２端に第１端が電気的に連結され、第２端が前記第１電極に電気的に連結された第３スイッチ；
前記第１電圧より低い第２電圧を供給する第２電源に第１端が連結され、前記第１電極に第２端が電気的に連結された第４スイッチ；
前記第３スイッチの第１端に第１端が連結され、第３電圧を供給する第３電源に第２端が連結された第２キャパシター；及び
前記第１スイッチの第２端にアノードが連結され、前記第１キャパシターの第２端にカソードが連結される第３ダイオード；
を含むプラズマ表示装置。
【請求項２】
前記第２キャパシターの第１端にカソードが連結され、前記第１キャパシターの第２端にアノードが連結される第４ダイオードをさらに含む、請求項１に記載のプラズマ表示装置。
【請求項３】
前記第１キャパシターの第１端に第１端が電気的に連結され、前記第２電源に第２端が電気的に連結される第５スイッチをさらに含む、請求項１に記載のプラズマ表示装置。
【請求項４】
維持期間において、
前記第２スイッチをターンオンして前記第１電極の電圧を上昇させ、前記第３スイッチをターンオンして、前記第１電極に前記第１電圧より高い第４電圧を印加し、前記第１スイッチをターンオンして前記第１電極の電圧を下降させ、前記第４スイッチをターンオンして前記第１電極に前記第２電圧を印加する、請求項１乃至３のうちのいずれか一つに記載のプラズマ表示装置。
【請求項５】
前記第２電圧と前記第４電圧との差は、前記第１電圧と前記第２電圧との差の２倍である、請求項４に記載のプラズマ表示装置。
【請求項６】
前記第３電圧は前記第１電圧と同一な電圧である、請求項１乃至３のうちのいずれか一つに記載のプラズマ表示装置。
【請求項７】
前記第１電圧は接地電圧である、請求項５に記載のプラズマ表示装置。
【請求項８】
複数の第１電極に電圧を印加するプラズマ表示装置の駆動装置において、
第１電圧を供給する第１電源に第１端が電気的に連結された第１スイッチ；
前記第１電源に第１端が電気的に連結された第２スイッチ；
前記第１電極に第１端が電気的に連結された少なくとも一つのインダクター；
前記第１スイッチの第２端と前記インダクターの第２端との間に連結されて、前記第１スイッチのターンオンの時に前記第１電極の電圧を減少させる下降経路；
前記第２スイッチの第２端と前記インダクターの第２端との間に連結されて、前記第２スイッチのターンオンの時に前記第１電極の電圧を上昇させる上昇経路；
前記第２スイッチの第２端に第１端が連結された第１キャパシター；
前記第１キャパシターの第２端に第１端が電気的に連結され、第２端が前記第１電極に電気的に連結された第３スイッチ；
前記第１電圧より低い第２電圧を供給する第２電源に第１端が連結され、前記第１電極に第２端が電気的に連結された第４スイッチ；
前記第３スイッチの第１端に第１端が連結され、第３電圧を供給する第３電源に第２端が電気的に連結された第２キャパシター；及び
前記第１キャパシターの第２端を前記第１電源に電気的に連結し、前記第１キャパシターの第１端を前記第２電源に電気的に連結して前記第１キャパシターを充電する充電経路；
を含むプラズマ表示装置の駆動装置。
【請求項９】
前記下降経路は、前記第１スイッチの第２端にカソードが連結され、前記インダクターの第２端にアノードが連結される第１ダイオードを含み、
前記上昇経路は、前記第２スイッチの第２端にアノードが連結され、前記インダクターの第２端にカソードが連結された第２ダイオードを含む、請求項８に記載のプラズマ表示装置の駆動装置。
【請求項１０】
前記充電経路は、
前記第１電源にアノードが連結され、前記第１キャパシターの第２端にカソードが電気的に連結される第３ダイオードを含む、請求項８に記載のプラズマ表示装置の駆動装置。
【請求項１１】
前記充電経路は、
前記第１キャパシターの第１端に第１端が電気的に連結され、前記第２電源に第２端が電気的に連結された第５スイッチをさらに含む、請求項１０に記載のプラズマ表示装置の駆動装置。
【請求項１２】
前記第２キャパシターの第１端にカソードが連結され、前記第１キャパシターの第２端にアノードが連結される第４ダイオードをさらに含む、請求項８に記載のプラズマ表示装置の駆動装置。
【請求項１３】
前記第３電圧は前記第１電圧と同一な電圧である、請求項８乃至１２のうちのいずれか一つに記載のプラズマ表示装置の駆動装置。
【請求項１４】
前記第１電圧は接地電圧である、請求項１３に記載のプラズマ表示装置の駆動装置。
【発明の詳細な説明】
【技術分野】
【０００１】
本発明は、プラズマ表示パネル（PDP）を含むプラズマ表示装置及びその駆動方法に関する。
【背景技術】
【０００２】
プラズマ表示装置は、気体放電により生成されたプラズマを利用して文字または映像を表示する平面表示装置であって、その大きさによって数十から数百万個以上の画素がマトリックス形態に配列されている。
【０００３】
プラズマ表示装置の駆動方法を時間的な動作変化で表現すれば、リセット期間、アドレス期間、維持期間からなる。
【０００４】
リセット期間は、セルでアドレシング動作が円滑に行われるようにするために各セルの状態を初期化させる期間であり、アドレス期間は、パネルで点灯されるセルと点灯されないセルを選択するために、点灯されるセル（アドレシングされたセル）にアドレス電圧を印加して壁電荷を積む動作を行う期間である。維持期間は、維持放電電圧パルスを印加してアドレシングされたセルに実際に画像を表示するための放電を行う期間である。
【０００５】
一方、駆動電力の消費量の高いプラズマ表示装置の駆動装置では、維持放電パルスが印加される時ごとに各放電セルに無効電力に相当する変位電流が流れ、壁電圧と外部電圧の合計が放電開始電圧を超える瞬間から放電電流が流れ込んで維持放電が形成される。このような維持放電は、一定の電圧を加えた場合、放電セル内部の一定の条件が満たされたときにこそ放電が開始されるものであって、放電条件を満足させない放電セルの場合にも、放電電流が流れなくても変位電流は常に流れ込む。このような変位電流の量は、各ピクセルの形態や構成材料によって変わるパネルキャパシター（Cp）の容量によって変化するが、このパネルキャパシターによる無効電力の消費が相当な量であるため、このように浪費される無効電力を減少させるために、駆動回路はエネルギー再生回路を備える必要がある。このような電力回収回路は、下記特許文献１に開示されている。
【０００６】
一方、下記特許文献２には、維持放電パルスの振幅（Vs）の半分に相当する１/２Vs電源一つのみを使用して+１/２Vs〜−１/２Vs範囲の電圧変化の範囲を有する維持放電パルスを印加するための回路が開示されている。このような回路を利用すれば、各スイッチの採用において、全て１/２Vs程度の内圧を耐えられるスイッチを採用しても差し支えないという長所がある。しかし、この回路は、下記特許文献１に開示された回路に比べて、一回の維持放電パルスを生成するために必要なスイッチング回数が大きく増加するだけでなく、ハードスイッチング方式を採用しているため、この回路にソフトスイッチングのためのエネルギー再生回路を含ませると、スイッチングの回数がさらに増加し、スイッチングシークエンスも非常に複雑になる。
【特許文献１】米国特許第５,０８１,４００号
【特許文献２】大韓民国公開特許公報第２００１−７５４８号
【発明の開示】
【発明が解決しようとする課題】
【０００７】
このように、従来の技術によるプラズマディスプレイパネルの駆動装置は、出力電圧の範囲を変化させるのが容易でなく、高内圧の素子を使用しなければならないため、装置の製造費用が増加するという短所がある。
【０００８】
本発明が目的とする技術的課題は、駆動回路の出力電圧範囲を容易に変化させることができると共に、低内圧素子を採用することができるプラズマ表示装置及びその駆動方法を提供することにある。
【課題を解決するための手段】
【０００９】
このような技術的課題を達成するための本発明の特徴によるプラズマ表示装置は、複数の第１電極、第１電圧を供給する第１電源に第１端が電気的に連結された第１スイッチ、前記第１スイッチの第２端にカソードが連結された第１ダイオード、前記第１電源に第１端が電気的に連結された第２スイッチ、前記第２スイッチの第２端にアノードが連結された第２ダイオード、前記第１ダイオードのアノード及び前記第２ダイオードのカソードに第１端が電気的に連結され、前記第１電極に第２端が電気的に連結された少なくとも一つのインダクター、前記第２スイッチの第２端に第１端が連結された第１キャパシター、前記第１キャパシターの第２端に第１端が電気的に連結され、第２端が前記第１電極に電気的に連結された第３スイッチ、前記第１電圧より低い第２電圧を供給する第２電源に第１端が連結され、前記第１電極に第２端が電気的に連結された第４スイッチ、前記第３スイッチの第１端に第１端が連結され、第３電圧を供給する第３電源に第２端が連結された第２キャパシター、及び前記第１スイッチの第２端にアノードが連結され、前記第１キャパシターの第２端にカソードが連結される第３ダイオードを含む。
【００１０】
本発明の特徴によるプラズマ表示装置の駆動装置は、複数の第１電極に電圧を印加するプラズマ表示装置の駆動装置であって、第１電圧を供給する第１電源に第１端が電気的に連結された第１スイッチ、前記第１電源に第１端が電気的に連結された第２スイッチ、前記第１電極に第１端が電気的に連結された少なくとも一つのインダクター、前記第１スイッチの第２端と前記インダクターの第２端との間に連結されて、前記第１スイッチのターンオンの時に前記第１電極の電圧を減少させる下降経路、前記第２スイッチの第２端と前記インダクターの第２端との間に連結されて、前記第２スイッチのターンオンの時に前記第１電極の電圧を上昇させる上昇経路、前記第２スイッチの第２端に第１端が連結された第１キャパシター、前記第１キャパシターの第２端に第１端が電気的に連結され、第２端が前記第１電極に電気的に連結された第３スイッチ、前記第１電圧より低い第２電圧を供給する第２電源に第１端が連結され、前記第１電極に第２端が電気的に連結された第４スイッチ、前記第３スイッチの第１端に第１端が連結され、第３電圧を供給する第３電源に第２端が電気的に連結された第２キャパシター、及び前記第１キャパシターの第２端を前記第１電源に電気的に連結し、前記第１キャパシターの第１端を前記第２電源に電気的に連結して前記第１キャパシターを充電する充電経路を含む。
【発明の効果】
【００１１】
本発明によれば、−Vs電源とGND電源を使用して電力を回収すると同時に、Vs電圧まで上昇する維持放電パルスを印加することができる。
【００１２】
また、電圧貯蔵部で、スイッチ（SW3）の一端電圧を一定に維持するためのキャパシター（C2）を追加することによってスイッチ（SW2）の電力損失を減らし、電力回収効率を向上させることができる。
【発明を実施するための最良の形態】
【００１３】
以下、添付した図面を参照し、本発明の実施例について本発明の属する技術分野における通常の知識を有する者が容易に実施できるように詳細に説明する。しかし、本発明は多様な相違した形態で実現でき、ここで説明する実施例に限定されない。図面においては、本発明を明確に説明するために説明上不要な部分は省略した。明細書全体を通じて類似な部分については同一図面符号を付けた。
【００１４】
以下、本発明の実施例によるプラズマディスプレイパネル及びその駆動装置と駆動方法について、図面を参照して詳細に説明する。
【００１５】
まず、本発明の実施例によるプラズマ表示装置の概略的な構造について、図１を参照して詳しく説明する。
【００１６】
図１は、本発明の実施例によるプラズマ表示装置を示す図である。
図１に示したように、本発明の実施例によるプラズマ表示装置は、プラズマ表示パネル１００、アドレス駆動部２００、Y電極駆動部３００、X電極駆動部４００、及び制御部５００を含む。
【００１７】
プラズマ表示パネル１００は、列方向に配列されている複数のアドレス電極（A１〜Am）、行方向に配列されている第１電極（Y１〜Yn）（以下、Y電極という）、及び第２電極（X１〜Xn）（以下、X電極という）を含む。アドレス駆動部２００は、制御部５００からアドレス駆動制御信号（SA）を受信して、表示しようとする放電セルを選択するための表示データ信号を各アドレス電極に印加する。
【００１８】
Y電極駆動部３００及びX電極駆動部４００は、制御部５００から各々Y電極駆動信号（SY）とX電極駆動信号（SX）を受信し、X電極とY電極に印加する。
【００１９】
制御部５００は外部から映像信号を受信して、アドレス駆動制御信号（SA）、Y電極駆動信号（SY）、及びX電極駆動信号（SX）を生成し、各々アドレス駆動部２００、Y電極駆動部３００、及びX電極駆動部４００に伝達する。
【００２０】
以下では、Y電極駆動部３００の構造及び動作について、図２及び図３を参照して詳しく説明する。
【００２１】
図２は、本発明の第１実施例によるY電極駆動部３００の回路図である。
図２に示したように、本発明の第１実施例によるY電極駆動部３００は、リセット駆動部３２０、走査駆動部３３０、スキャンIC３４０、及び維持駆動部３５０を含む。
リセット駆動部３２０は、リセット期間においてY電極に漸進的に上昇及び下降する電圧を印加し、走査駆動部３３０は、アドレス期間においてY電極に走査信号を印加する。スキャンIC３４０は複数の選択回路を含み、選択回路を通じて走査信号が印加されるY電極を選択する。
【００２２】
維持駆動部３１０は、維持期間において維持放電のための電圧をY電極に供給し、電力回収部３１１、電圧貯蔵部３１２、及びスイッチング部３１３を含み、外部から供給される一対のの直流電源（VS1、VS2）と電圧貯蔵部３１２で貯蔵された電圧とを、スイッチング部３１３のスイッチングを通じてパネルキャパシター（Cp）に供給する。
【００２３】
具体的に、電力回収部３１１は、電圧（Vo）を出力する出力端子に一端が接続されたインダクター（L）、インダクター（L）の他端にアノードが接続されたダイオード（D1）、インダクター（L）の他端にカソードが接続されたダイオード（D2）、ダイオード（D1）のカソードに一端が接続されたスイッチ（SW1）、及びダイオード（D2）のアノードに一端が接続されたスイッチ（SW2）を含む。スイッチ（SW1）とスイッチ（SW2）とは互いに直列接続され、スイッチ（SW1）とスイッチ（SW2）との接続点は電源（VS1）に連結されている。スイッチ（SW1）とスイッチ（SW2）のスイッチング動作により、ダイオード（D1）とスイッチ（SW1）との接続点である第１ノード（N1）と、ダイオード（D2）とスイッチ（SW2）との接続点である第２ノード（N2）との間の電圧が調節される。
【００２４】
そして、電圧貯蔵部３１２は、第１ノード（N1）にアノードが接続されたダイオード（D3）と、ダイオード（D3）のカソードである第３ノード（N3）と第２ノード（N2）との間に接続されたキャパシター（C1）とを含んで、電力回収部３１１のスイッチングによって調節された第１ノード（N1）と第２ノード（N2）との間の電圧を貯蔵する。
【００２５】
また、スイッチング部３１３は、第３ノード（N3）と出力端（Vo）との間に接続されたスイッチ（SW3）と、出力端（Vo）と電源（VS2）との間に接続されたスイッチ（SW4）とを含み、スイッチ（SW3）とスイッチ（SW4）のスイッチング動作を通じて、第３ノード（N3）の電圧（V3）または電源（VS2）から供給される電圧をパネルキャパシター（Cp）に印加する。
【００２６】
この時、電源（VS2）から供給される電圧は、電源（VS1）から供給される電圧より低く設定するのが好ましい。例えば、電圧（VS1）は接地電圧（０V）に設定し、電圧（VS2）は電圧（−Vs）に設定することができ、このような回路構成により、電圧（−Vs）とそれより高い電圧（０V）を使用して電力を回収すると同時に、電圧（０V）と電圧（−Vs）との間の差の２倍に相当する電圧（２Vs）の振幅を有するパルスを維持放電パルスとしてパネルキャパシター（Cp）に供給することができる。
【００２７】
以下では、電源（VS2）は電圧（−Vs）を供給し、電源（VS1）は接地電圧（０V）を供給することを基準にして、本発明の第１実施例による維持駆動部３１０の動作について説明する。
【００２８】
図３は、本発明の第１実施例による維持駆動部３１０を駆動するためのスイッチングタイミング図と、各ノードでの電圧波形図、及びインダクター（L）の電流波形図である。
図３に示したように、t＝t０では、全てのスイッチ（SW1、SW2、SW3、SW4）がターンオフされ、スイッチ（SW4）を通してパネルキャパシター（Cp）には電圧（−Vs）が印加されるので、出力電圧（Vo）は−Vsを維持する。
【００２９】
次いで、t＝t１では、スイッチ（SW2）がターンオンされれば、第２ノード（N2）の電圧（V2）とダイオード（D1）とダイオード（D2）の接続点の電圧（VL）とは０Vまで急激に上昇し、そのためにインダクター（L）とパネルキャパシター（Cp）との間に直列LC共振が発生する。そうすると、出力電圧が−VsからVsに近接した電圧まで漸進的に上昇する。このように出力電圧（Vo）がVsに近接した電圧までのみ上昇するのは、回路インピーダンスによるエネルギー損失が発生するからである。
【００３０】
一方、キャパシター（C1）にはVsの電圧が充電されており、スイッチ（SW2）のターンオンによってキャパシター（C1）の一端電圧が０Vに固定されるので、スイッチ（SW3）の電圧原である第３ノード（N3）の電圧（V3）はVsに固定される。
【００３１】
次に、t２〜t３区間はダイオード（D2）の逆方向バイアス回復期（Trr；Time  of  Reverse  Recovery）に相当する。つまり、t＝t２でスイッチ（SW3）がターンオンされれば、出力電圧（Vo）がVsに完全に到達するようになる。この時、インダクター（L）の電流（IL）は正（＋）から負（−）に転換され、ダイオード（D2）が順方向バイアスから逆方向バイアスに変わり始める。しかし、PN−接合ダイオードの特徴によって、逆方向バイアス回復期（Trr）初期の所定の時間には、ダイオード（D2）がそのまま導通した状態に維持されることができる。
【００３２】
次いで、t＝t３では、ダイオード（D2）が逆方向バイアスに変わって第２ノード（N2）とインダクター（L）は短絡され、したがって、インダクター（L）に流れる電流により電圧（VL）はそれ以上０Vに固定できずに上昇し始める。この時、スイッチ（SW1）の内部キャパシタンスと内部ダイオードの接合キャパシタンスとを充電しながら、電圧（VL）がVsまで上昇する。
【００３３】
次に、t＝t４で、電圧（VL）がVsに到達すればダイオード（D3）が順方向バイアスに転換され、スイッチ（SW3）−インダクター（L）−ダイオード（D1）−ダイオード（D3）に繋がる電流経路を通してフリ−ウィーリング（freewheeling）電流が流れる。この電流はフリ−ウィーリング経路上の抵抗によって消耗されて徐々に減少されるが、X電極駆動部（図１の３００）の電圧が−Vsであれば、維持放電電圧は出力電圧（Vo）がVsまで上昇した状態で発生するので、t＝t２時からフリ−ウィーリング電流が発生することができる。また、電源（VS1）−スイッチ（SW2）−キャパシター（C1）−スイッチ（SW3）を通して放電電流が流れる。
【００３４】
その後、t＝t５では、全てのスイッチ（SW1、SW2、SW3、SW4）がターンオフされ、この時、インダクター（L）に貯蔵されているエネルギーによって出力電圧（Vo）はVsに維持される。
【００３５】
次に、t６〜t７では、インダクター（L）にエネルギーを貯蔵してパネルキャパシター（Cp）が充電される。つまり、t＝t６でスイッチ（SW1）がターンオンされて、第１ノード（N1）の電圧（V1）とインダクター（L）の一端電圧（VL）は０Vまで急激に下降し、インダクター（L）とパネルキャパシター（Cp）との間に直列LC共振が発生しながら、出力電圧（Vo）はVsから−Vsまで漸進的に下降する。この時、パネルキャパシター（Cp）からインダクター（L）を通して電源（VS1）に電力が回収される。
【００３６】
次に、t７〜t８区間は、ダイオード（D1）の逆方向バイアス回復期（Trr）である。つまり、t＝t７でスイッチ（SW4）がターンオンされて出力電圧（Vo）を−Vsに完全に下降させる。この時、インダクター（L）の電流（IL）が負（−）から正（＋）の値に変わり、ダイオード（D1）が順方向バイアスから逆方向バイアスに変わる。
【００３７】
t＝t８でダイオード（D1）が逆方向バイアスに変われば、ダイオード（D1）とインダクター（L）が短絡されるので、インダクター（L）に流れる電流によって電圧（VL）がそれ以上０Vに固定出来ずに−Vsまで下降する。この時、スイッチ（SW2）の内部キャパシタンス及び内部ダイオードの接合キャパシタンスを充電しながら、電圧（VL）が下降する。
【００３８】
次いで、t＝t９で、電圧（VL）が−Vsに到達すればダイオード（D2）が再び順方向バイアスに転換され、インダクター（L）に流れる電流（IL）は、放電によってキャパシター（C1）の電圧を再充電する電流と合わせられる。つまり、電源（VS1）−スイッチ（SW1）−ダイオード（D3）−キャパシター（C1）−ダイオード（D2）−インダクター（L）−スイッチ（SW4）−電源（−Vs）の電流経路を通してキャパシター（C1）に電圧が再充電される。
【００３９】
この時、キャパシター（C1）の大きさはパネルのパネルキャパシター（Cp）より遥かに大きいため、インダクター（L）と共振を起こさずに低周波通過フィルター（LPF）のような役割を果たすことにより、電流が急激に流れることを防ぐ。この区間に維持放電が発生する場合には、スイッチ（SW4）が放電電流を全て耐える。
【００４０】
このようにt０〜t９の動作を繰り返すことにより、パネルキャパシター（Cp）にVsと−Vsとの間をスウィングする維持放電パルスを供給することができる。
【００４１】
一方、キャパシター（C1）が充電される時の充電経路を短縮すれば、キャパシター（C1）の充電時間を短縮することもできる。以下では、キャパシター（C1）の充電経路を短縮するための回路について説明する。
【００４２】
図４は、本発明の第２実施例によるY電極駆動部３００の回路図であり、図５は、本発明の第２実施例によるY電極駆動部３００を駆動するためのスイッチングタイミング図と出力波形図であり、図６は、本発明の第２実施例によるY電極駆動部の一部詳細出力波形図である。
【００４３】
図４に示したように、本発明の第２実施例によるY電極駆動部３００は、電圧貯蔵部３１２の構成を除いては第１実施例と同一な構造を有するので、重複される部分については便宜上説明を省略する。
【００４４】
詳しく説明すれば、本発明の第２実施例による電圧貯蔵部３１２は、第２ノード（N2）と電源（VS2）との間に連結されたスイッチ（SW5）をさらに含む。
【００４５】
このような回路の動作を見てみれば、図５に示したように、t＝t０〜t９までの全ての動作及び出力波形は本発明の第１実施例と同一である。つまり、t＝t０〜t９期間の間、スイッチ（SW5）を継続してターンオフ状態に維持し、t＝t９でターンオンする。そうすれば、電源（VS1）−スイッチ（SW1）−ダイオード（D3）−キャパシター（C1）−スイッチ（SW5）−電源（−Vs）に充電電流経路が形成される。
【００４６】
つまり、本発明の第１実施例による充電電流経路と比較すれば、本発明の第２実施例では、インダクター（L）を通じる経路（ダイオード（D2）−インダクター（L）−スイッチ（SW4）−電源（−Vs））が省略されて充電経路が短縮する。したがって、以前の放電で発生しただけの電荷損失をキャパシター（C1）に迅速に充電することができる。この時、インダクター（L）には、スイッチ（SW5）−ダイオード（D2）−インダクター（L）−スイッチ（SW4）−電源（−Vs）の経路を通じて純粋にフリ−ウィーリング電流のみが流れるので、図５に示したようにインダクターに流れる電流（IL）は次第に減少する。
【００４７】
一方、本発明の第１及び第２実施例によれば、t＝t１でスイッチ（SW2）をターンオンすれば、第２ノード（N2）の電圧（V2）と電圧（VL）は０Vまで上昇し、インダクター（L）とパネルキャパシター（Cp）の共振により電圧（Vo）は徐々に増加する。また、t＝t１以前にキャパシター（C1）に電圧（Vs）が充電された状態で、スイッチ（SW2）がターンオンされてV２＝０Vに固定されることにより、共振開始前に第３ノード（N3）の電圧（V3）は瞬間的に電圧（Vs）に上昇する。ところが、スイッチ（SW3）はオフの状態でキャパシタンス成分（CSW3）を有し、このキャパシタンス成分（CSW3）がパネルキャパシター（Cp）と直列連結されて電圧が配分されることにより、以下の式の通りに電圧（Vo）が上昇する。
【００４８】
【数１】
2006330669.tif 000003
【００４９】
特に、スイッチ（SW3）としてMOSFET素子を使用する時、スイッチング動作で発生するEMIを減らすためにスイッチのドレーンとソースとの間にキャパシターを並列に追加する場合には、電圧（Vo）がさらに上昇する。
【００５０】
図６を参照してさらに詳細に説明すれば、t＝t１でスイッチ（SW2）がターンオンされ、共振が開始されるt＝t１´で、第２ノードの電圧（V2）は−Vsから０Vに上昇し、第３ノードの電圧（V3）は０VからVsに上昇する。この時、スイッチ（SW3）のキャパシタンス成分（CSW3）により、出力電圧（Vo）は−VsからVstartまで増加する。つまり、Vstart電圧で０Vを向かって共振が開始されるため、共振効率が１００％であると仮定しても、共振が終了する時点での電圧（Vend）は−Vstartであって、Vs電圧に達し得ない。したがって、電力回収効率も減少する。それだけでなく、t＝t１〜t２期間では、V２の電圧を上昇させる電流とV３及びVoを上昇させる電流とが全てスイッチ（SW2）を通して流れるため、スイッチ（SW2）のターンオン時の電力損失が非常に増加する。
【００５１】
したがって、以下では、共振後の電圧ピーク値と電力回収効率を高め、スイッチ（SW2）の電力損失を減少させるための回路について説明する。
【００５２】
図７は、本発明の第３実施例によるY電極駆動部３００の回路図であり、図８は、本発明の第３実施例によるY電極駆動部の出力波形図である。
【００５３】
図７に示したように、本発明の第３実施例によるY電極駆動部３００は、電圧貯蔵部３１２の構成を除いては第２実施例と同一な構造を有するので、重複される部分については便宜上説明を省略する。
【００５４】
詳しく説明すれば、本発明の第３実施例による電圧貯蔵部３１２は、第２ノード（N2）にアノードが連結され、スイッチ（SW3）にカソードが連結されるダイオード（D4）、及びダイオード（D4）とスイッチ（SW3）との接続点、つまり、第４ノード（N4）に一端が連結されるキャパシター（C2）をさらに含む。
【００５５】
キャパシター（C2）には常にVs電圧が充電されているので、第４ノード（N4）の電圧（V4）は常にVsに維持され、ダイオード（D4）は、スイッチ（SW2）がターンオンされている間に第４ノード（N4）から第３ノード（N3）に電流が逆流することを防止する役割を果たす。
【００５６】
このような回路の動作を見てみれば、t＝t１でスイッチ（SW2）をターンオンすれば、t＝t１でスイッチ（SW2）がターンオンされて共振が開始されるt＝t１´で、第２ノードの電圧（V2）は−Vsから０Vに上昇し、第３ノードの電圧（V3）は０VからVsに上昇する。この時、キャパシター（C2）にVs電圧が貯蔵されているので第４ノードの電圧（V4）はVsに継続して維持され、出力電圧（Vo）はスイッチ（SW3）のキャパシタンス成分に影響を受けない。
【００５７】
したがって、t＝t１〜t１´期間の間、出力電圧（Vo）は、第２ノードの電圧（V2）が０Vに上昇してインダクター（L）に流れる電流によってのみ上昇し、図８に示されているように、共振開始時点（t＝t１´）での出力電圧（Vo）Vstart´は、図６のVstartに比べて低い電圧に維持される。
【００５８】
このように本発明の第２実施例では、Vstartより低い電圧であるVstart´で０Vを向かって共振が開始されるため、共振終了時点の電圧Vend´も図６のVend電圧より高くなる。したがって、電力回収効率も高くなる。また、t＝t１〜t２期間では、V２の電圧を上昇させる電流のみがスイッチ（SW2）を通して流れるので、スイッチ（SW2）のターンオン時の電力損失も減少する。
【００５９】
以上、本発明の好ましい実施例について詳細に説明したが、本発明はこれに限定されるものではなく、その他の多様な変更や変形が可能である。
例えば、本発明の第１乃至第３実施例ではY電極駆動部に適用される場合のみを説明したが、X電極駆動部にも本発明の実施例による回路を適用することができる。
【図面の簡単な説明】
【００６０】
【図１】本発明の実施例によるプラズマ表示装置を示す図である。
【図２】本発明の第１実施例によるY電極駆動部の回路図である。
【図３】本発明の第１実施例によるY電極駆動部を駆動するためのスイッチングタイミング図と出力波形図である。
【図４】本発明の第２実施例によるY電極駆動部の回路図である。
【図５】本発明の第２実施例によるY電極駆動部を駆動するためのスイッチングタイミング図と出力波形図である。
【図６】本発明の第２実施例によるY電極駆動部の出力波形図である。
【図７】本発明の第３実施例によるY電極駆動部の回路図である。
【図８】本発明の第３実施例によるY電極駆動部の出力波形図である。
【符号の説明】
【００６１】
１００  プラズマ表示パネル
２００  アドレス駆動部
３００  Y電極駆動部
３１０  維持駆動部
３１１  電力回収部
３１２  電圧貯蔵部
３１３  スイッチング部
３２０  リセット駆動部
３３０  走査駆動部
３４０  スキャンIC
４００  X電極駆動部
５００  制御部
【図１】
2006330669.tif 000004
【図２】
2006330669.tif 000005
【図３】
2006330669.tif 000006
【図４】
2006330669.tif 000007
【図５】
2006330669.tif 000008
【図６】
2006330669.tif 000009
【図７】
2006330669.tif 000010
【図８】
2006330669.tif 000011